(57)【要約】【課題】  従業員等の長期的な疲労の度合いを少なくさせつつ、生産性を向上させる。【解決手段】  スケジュール管理システム１１は、管理コンピュータ１２を備え、管理コンピュータ１２は、複数の従業員がそれぞれ携帯する携帯電話機１４と一般電話回線網２５等を介して接続されている。携帯電話機１４は、検出装置１６と接続され、検出装置１６にて検出された体調データＰＣＤが、携帯電話機１４から管理コンピュータ１２へと送信される。管理コンピュータ１２は、従業員の改編前スケジュールデータ等を記憶し、受信した体調データＰＣＤを閾値と比較し、比較結果に基づいて、改編後スケジュールデータを作成する。管理コンピュータ１２は、改編前スケジュールデータと改編後スケジュールデータとに基づき、従業員のスケジュールの変更を表す変更内容データＣＨＤを作成し、該当する従業員の携帯電話機１４へと送信する。【選択図】      図１
2005056062.tif 000002
【特許請求の範囲】
【請求項１】
複数の通信機器に対して接続可能な管理コンピュータを備えたスケジュール管理システムにおいて、
前記管理コンピュータが、
前記通信機器の所有者を識別する所有者情報と、前記所有者の現在のスケジュールの内容を表すスケジュール情報とを関連付けて記憶する改編前スケジュール情報記憶手段と、
前記通信機器から、前記所有者の疲労状態を導き出すことが可能な疲労情報を受信可能な受信手段と、
閾値を記憶する閾値記憶手段と、
前記受信手段にて受信した前記疲労情報と前記閾値とを比較する比較手段と、
前記比較手段の比較結果に基づいて、前記スケジュール情報記憶手段に記憶されている前記所有者情報を、他の前記所有者情報である置換後所有者情報に置換し、前記置換後所有者情報と、前記スケジュール情報とを関連付けて改編後スケジュール情報記憶手段に記憶させる置換手段と
を備えたことを特徴とするスケジュール管理システム。
【請求項２】
請求項１に記載のスケジュール管理システムにおいて、
前記管理コンピュータは、
前記通信機器を識別する通信機器情報と前記所有者情報とを関連付けて記憶する通信機器情報記憶手段と、
少なくとも、前記改編前スケジュール情報記憶手段あるいは前記改編後スケジュール情報記憶手段から、少なくとも、置換前の前記所有者情報である置換前所有者情報あるいは前記置換後所有者情報を抽出する第１の抽出手段と、
前記通信機器情報記憶手段から、前記抽出手段にて抽出された前記置換前所有者情報あるいは前記置換後所有者情報に対応する前記通信機器情報を抽出する第２の抽出手段と、
前記第２の抽出手段にて抽出された前記通信機器情報を使用して、少なくとも、前記改編前スケジュール情報記憶手段あるいは前記改編後スケジュール情報記憶手段に記憶されている前記スケジュール情報に基づくスケジュール変更情報を、前記通信機器に送信可能な送信手段と
を備えたことを特徴とするスケジュール管理システム。
【請求項３】
請求項２に記載のスケジュール管理システムにおいて、
前記通信機器を搭載する車両と、
前記通信機器に接続され、前記通信機器が前記管理コンピュータの前記送信手段から受信する前記スケジュール変更情報に基づいて、前記車両の車速を調整する車速調整手段とを備えたことを特徴とするスケジュール管理システム。
【請求項４】
請求項１〜３のいずれか１つに記載のスケジュール管理システムにおいて、
前記複数の通信機器と、
同通信機器に接続され、前記疲労情報を取得可能な検出手段と
を備えたことを特徴とするスケジュール管理システム。
【請求項５】
請求項１〜４のいずれか１つに記載のスケジュール管理システムにおいて、
前記疲労情報は、少なくとも、前記所有者の体調を表す体調情報を備え、
前記閾値は、前記体調情報が、前記所有者の就労に適した値であるか否かを判別可能な値であることを特徴とするスケジュール管理システム。
【請求項６】
複数の通信機器に対して接続可能であるとともに、
前記通信機器の所有者を識別する所有者情報と、前記所有者の現在のスケジュールの内
容を表すスケジュール情報とを関連付けて記憶する改編前スケジュール情報記憶手段と、
閾値を記憶する閾値記憶手段と
を備えた管理コンピュータが、
受信手段を介して、前記通信機器から、前記所有者の就労状態を表す疲労情報を受信する受信段階と、
比較手段を介して、前記疲労情報と、前記閾値記憶手段に記憶されている前記閾値とを比較する比較段階と、
置換手段を介して、前記比較段階における比較結果に基づいて、前記改編前スケジュール情報記憶手段に記憶されている前記スケジュール情報に関連付けられている前記所有者情報を、他の前記所有者情報である置換後所有者情報に置換し、前記置換後所有者情報と前記スケジュール情報とを関連付けて改編後スケジュール情報記憶手段に記憶させる置換段階と
を備えたことを特徴とするスケジュール管理方法。
【請求項７】
複数の通信機器に対して接続可能であるとともに、
前記通信機器の所有者を識別する所有者情報と、前記所有者の現在のスケジュールの内容を表すスケジュール情報とを関連付けて記憶する改編前スケジュール情報記憶手段と、
閾値を記憶する閾値記憶手段と
を備えた管理コンピュータに、
受信手段を介して、前記通信機器から、前記所有者の就労状態を表す疲労情報を受信する受信段階と、
比較手段を介して、前記疲労情報と、前記閾値記憶手段に記憶されている前記閾値とを比較する比較段階と、
置換手段を介して、前記比較段階における比較結果に基づいて、前記改編前スケジュール情報記憶手段に記憶されている前記スケジュール情報に関連付けられている前記所有者情報を、他の前記所有者情報である置換後所有者情報に置換し、前記置換後所有者情報と、前記スケジュール情報とを関連付けて改編後スケジュール情報記憶手段に記憶させる置換段階と
を実行させることを特徴とするプログラム。
【発明の詳細な説明】
【技術分野】
【０００１】
本発明は、スケジュール管理システム、スケジュール管理方法及びプログラムに関する。
【背景技術】
【０００２】
近年、小売業やサービス業等、２４時間営業・操業する企業が増加している。そして、このような２４時間営業・操業を行う企業においては、従業員の勤務時間帯を複数に分け、例えば、２交代制や３交代制といった、勤務交代制を採用することが知られていた。
【０００３】
ところで、このような２交代制や３交代制においては、１人の従業員が、日によって異なる時間帯に勤務することがあった。例えば、昼勤を行った次の日に、夜勤を行う、といった具合である。そして、このように、日によって不規則な時間帯に勤務することは、従業員にとって負担が大きく、疲労が蓄積されやすいことが知られていた。そして、疲労の蓄積によって覚醒度が低下し、従業員の作業能力が低下するおそれがあった。
【０００４】
そこで、特許文献１に示すように、自動車の運転者に対して、その覚醒度に応じた刺激を加えたり、誘眠させたりする覚醒制御装置が提案されていた。詳しくは、この覚醒制御装置は、覚醒リズム周期計測装置を備え、運転者の脳波等の計測結果に基づいて、覚醒リズム周期を算出するようになっていた。また、この覚醒制御装置は、覚醒維持装置を備え、算出した覚醒リズム周期に基づいて、運転者に対して音楽等による刺激を行い、運転者の覚醒度の低下を防止するようになっていた。
【０００５】
さらに、この覚醒制御装置は、誘眠装置を備え、運転者が短時間で疲労回復が行えるように入眠を促すことができるようになっていた。以上により、従業員の疲労の蓄積を緩和させ、生産性を向上させることが期待されていた。
【特許文献１】特開平７−１０８８４７号公報
【発明の開示】
【発明が解決しようとする課題】
【０００６】
ところで、上記特許文献１における覚醒制御装置では、刺激や警告等によって強制的に覚醒度の低下を防ぐようになっており、運転者は、その覚醒リズムが崩されて、長期的にみれば、かえって疲労が蓄積してしまう可能性があった。そこで、長期的な疲労の蓄積を回避するために、誘眠装置を使用して、積極的に運転者を休ませることが考えられていたが、運転者が休んでいる間は、営業や操業が停止してしまうので、生産性がかえって低下してしまうおそれがあった。
【０００７】
本発明は、上記問題点に鑑みてなされたものであり、従業員等の長期的な疲労の度合いを少なくさせつつ、生産性を向上させることができるスケジュール管理システム、スケジュール管理方法及びプログラムを提供することにある。
【課題を解決するための手段】
【０００８】
上記問題点を解決するために、請求項１に記載の発明は、複数の通信機器に対して接続可能な管理コンピュータを備えたスケジュール管理システムにおいて、前記管理コンピュータが、前記通信機器の所有者を識別する所有者情報と、前記所有者の現在のスケジュールの内容を表すスケジュール情報とを関連付けて記憶する改編前スケジュール情報記憶手段と、前記通信機器から、前記所有者の疲労状態を導き出すことが可能な疲労情報を受信可能な受信手段と、閾値を記憶する閾値記憶手段と、前記受信手段にて受信した前記疲労
情報と前記閾値とを比較する比較手段と、前記比較手段の比較結果に基づいて、前記スケジュール情報記憶手段に記憶されている前記所有者情報を、他の前記所有者情報である置換後所有者情報に置換し、前記置換後所有者情報と、前記スケジュール情報とを関連付けて改編後スケジュール情報記憶手段に記憶させる置換手段とを備えたことを要旨とする。
【０００９】
請求項２に記載の発明は、請求項１に記載のスケジュール管理システムにおいて、前記管理コンピュータは、前記通信機器を識別する通信機器情報と前記所有者情報とを関連付けて記憶する通信機器情報記憶手段と、少なくとも、前記改編前スケジュール情報記憶手段あるいは前記改編後スケジュール情報記憶手段から、少なくとも、置換前の前記所有者情報である置換前所有者情報あるいは前記置換後所有者情報を抽出する第１の抽出手段と、前記通信機器情報記憶手段から、前記抽出手段にて抽出された前記置換前所有者情報あるいは前記置換後所有者情報に対応する前記通信機器情報を抽出する第２の抽出手段と、前記第２の抽出手段にて抽出された前記通信機器情報を使用して、少なくとも、前記改編前スケジュール情報記憶手段あるいは前記改編後スケジュール情報記憶手段に記憶されている前記スケジュール情報に基づくスケジュール変更情報を、前記通信機器に送信可能な送信手段とを備えたことを要旨とする。
【００１０】
請求項３に記載の発明は、請求項２に記載のスケジュール管理システムにおいて、前記通信機器を搭載する車両と、前記通信機器に接続され、前記通信機器が前記管理コンピュータの前記送信手段から受信する前記スケジュール変更情報に基づいて、前記車両の車速を調整する車速調整手段とを備えたことを要旨とする。
【００１１】
請求項４に記載の発明は、請求項１〜３のいずれか１つに記載のスケジュール管理システムにおいて、前記複数の通信機器と、同通信機器に接続され、前記疲労情報を取得可能な検出手段とを備えたことを要旨とする。
【００１２】
請求項５に記載の発明は、請求項１〜４のいずれか１つに記載のスケジュール管理システムにおいて、前記疲労情報は、少なくとも、前記所有者の体調を表す体調情報を備え、前記閾値は、前記体調情報が、前記所有者の就労に適した値であるか否かを判別可能な値であることを要旨とする。
【００１３】
請求項６に記載の発明は、複数の通信機器に対して接続可能であるとともに、前記通信機器の所有者を識別する所有者情報と、前記所有者の現在のスケジュールの内容を表すスケジュール情報とを関連付けて記憶する改編前スケジュール情報記憶手段と、閾値を記憶する閾値記憶手段とを備えた管理コンピュータが、受信手段を介して、前記通信機器から、前記所有者の就労状態を表す疲労情報を受信する受信段階と、比較手段を介して、前記疲労情報と、前記閾値記憶手段に記憶されている前記閾値とを比較する比較段階と、置換手段を介して、前記比較段階における比較結果に基づいて、前記改編前スケジュール情報記憶手段に記憶されている前記スケジュール情報に関連付けられている前記所有者情報を、他の前記所有者情報である置換後所有者情報に置換し、前記置換後所有者情報と前記スケジュール情報とを関連付けて改編後スケジュール情報記憶手段に記憶させる置換段階とを備えたことを要旨とする。
【００１４】
請求項７に記載の発明は、複数の通信機器に対して接続可能であるとともに、前記通信機器の所有者を識別する所有者情報と、前記所有者の現在のスケジュールの内容を表すスケジュール情報とを関連付けて記憶する改編前スケジュール情報記憶手段と、閾値を記憶する閾値記憶手段とを備えた管理コンピュータに、受信手段を介して、前記通信機器から、前記所有者の就労状態を表す疲労情報を受信する受信段階と、比較手段を介して、前記疲労情報と、前記閾値記憶手段に記憶されている前記閾値とを比較する比較段階と、置換手段を介して、前記比較段階における比較結果に基づいて、前記改編前スケジュール情報
記憶手段に記憶されている前記スケジュール情報に関連付けられている前記所有者情報を、他の前記所有者情報である置換後所有者情報に置換し、前記置換後所有者情報と、前記スケジュール情報とを関連付けて改編後スケジュール情報記憶手段に記憶させる置換段階とを実行させることを要旨とする。
（作用）
請求項１，６及び７に記載の発明によれば、複数の通信機器に対して接続可能な管理コンピュータに、スケジュール情報記憶手段と、閾値記憶手段とを備えるようにした。そして、管理コンピュータは、受信手段を介して通信機器から疲労情報を受信すると、比較手段によって疲労情報を閾値記憶手段の閾値と比較するようにした。また、管理コンピュータは、比較手段による比較結果に基づいて、置換手段によって、スケジュール情報記憶手段のスケジュール情報に関連付けられている所有者情報を、置換後所有者情報に置換するようにした。そして、置換後所有者情報とスケジュール情報とを関連付けて改編後スケジュール情報記憶手段に記憶させるようにした。
【００１５】
従って、スケジュール情報記憶手段のスケジュール情報に関連付けられている所有者情報が、通信機器からの疲労情報と閾値との比較結果に基づいて置換され、改編後スケジュール情報記憶手段に記憶されるようになる。すなわち、例えば、通信機器の所有者が体調不良などの状態にあるときに、その状態を表す疲労情報が管理コンピュータに送信され、管理コンピュータにおいて、閾値と比較される。そして、所有者の、疲労の度合いを判別することができる。そして、例えば、所有者が就業困難なほどの疲労状態であると判別されると、スケジュール情報に関連付けられている所有者情報が置換後所有者情報に置換され、就業中の所有者のスケジュールは、置換後所有者情報によって識別される他の所有者に交代するようなスケジュールへと改編されるようになる。従って、所有者の疲労情報に基づいて、各所有者のスケジュールが適宜改編されるようになるため、所有者は、長期的な疲労の度合いを少なくさせた状態で就労することができる。また、疲労の少ない所有者が常に就労状態となるように維持することができ、全体的な生産性を向上させることができる。
【００１６】
請求項２に記載の発明によれば、通信機器を識別する通信機器と、所有者情報とを関連付けて記憶する通信機器情報記憶手段を備えるようにした。そして、少なくとも、置換前所有者情報あるいは置換後所有者情報が第１の抽出手段によって抽出され、抽出された置換前所有者情報あるいは置換後所有者情報に対応する通信機器情報が第２の抽出手段によって抽出されるようにした。また、抽出された通信機器情報を使用して、改編前スケジュール情報記憶手段と改編後スケジュール情報記憶手段とに基づくスケジュールの変更を表すスケジュール情報を、通信機器に送信手段を介して送信するようにした。
【００１７】
従って、スケジュール情報記憶手段に記憶されているスケジュール情報に関連付けられている所有者情報が置換され、改編後スケジュール情報記憶手段に置換後所有者情報が記憶されるたびに、少なくとも、置換前所有者情報あるいは置換後所有者情報に対応する所有者の通信機器に対して、スケジュール情報が送信される。この結果、所有者は、スケジュールの改編のあった旨を、通信機器にて受信したスケジュール情報に基づいて理解することができる。従って、スケジュール改編に該当する所有者に、スケジュールの改編のあった旨をリアルタイムに知らせることができ、勤務交代等を、円滑に行うことができるようになる。
【００１８】
請求項３に記載の発明によれば、通信機器を搭載する車両と、同車両の車速を調整する車速調整手段とを備えるようにした。そして、車速調整手段は、通信機器と接続され、車速調整手段が管理コンピュータの送信手段から受信するスケジュール変更情報に基づいて、車両の車速を調整するようにした。
【００１９】
従って、所有者は、スケジュールの改編のあった旨を、車両の車速の変化によって理解することができる。この結果、勤務交代等を、より円滑に行うことができるようになる。
請求項４に記載の発明によれば、通信機器に接続される検出手段を備えるようにした。そして、検出手段によって取得された疲労情報は、通信機器を介して管理コンピュータの受信手段へと送信されるようにした。
【００２０】
従って、疲労情報が、検出手段によって自動的に取得されるようになり、所有者は、通信機器に疲労情報を手作業で入力する作業等が不要となる。この結果、疲労情報の取得をより容易に行うことができる。
【００２１】
請求項５に記載の発明によれば、疲労情報は、所有者の体調を表す体調情報であるようにした。そして、閾値は、体調情報が、所有者の疲労に適した値であるか否かを判別可能な値であるようにした。従って、所有者の疲労の度合いを、より直接的に判別可能となり、所有者の長期的な疲労の度合いをより確実に少なくさせた状態とすることが可能となる。
【発明の効果】
【００２２】
本発明によれば、従業員等の長期的な疲労の度合いを少なくさせつつ、生産性を向上させることができる。
【発明を実施するための最良の形態】
【００２３】
以下、本発明を具体化した一実施形態を図１〜図１３に従って説明する。図１は、スケジュール管理システム１１のシステム構成図を示している。
図１に示すように、本実施形態のスケジュール管理システム１１は、ある企業が所有する管理コンピュータ１２と、同企業に所属する複数の所有者としての従業員がそれぞれ携帯している通信機器としての携帯電話機１４、同携帯電話機１４にそれぞれ接続されている検出装置１６を備える。
【００２４】
そして、管理コンピュータ１２は、前記携帯電話機１４から、前記検出装置１６にて取得された疲労情報及び体調情報としての体調データＰＣＤを受信するようになっている。また、管理コンピュータ１２は、前記携帯電話機１４に対して、各従業員の勤務スケジュールの変更を表す変更内容データＣＨＤを送信するようになっている。
【００２５】
詳しくは、携帯電話機１４からの前記体調データＰＣＤは、同携帯電話機１４のアンテナ１８から電波信号となって送信される。そして、この電波信号は携帯電話基地局２１の基地局アンテナ２３にて受信され、一般電話回線網２５を介して管理コンピュータ１２へと送信される。反対に、管理コンピュータ１２からの前記変更内容データＣＨＤは、一般電話回線網２５を介して携帯電話基地局２１の基地局アンテナ２３から電波信号となって発信される。そして、基地局アンテナ２３から発信された電波信号は、携帯電話機１４のアンテナ１８にて受信され、携帯電話機１４に送信される。つまり、管理コンピュータ１２と携帯電話機１４とはいわゆる無線インターネットを介して接続されている。
【００２６】
なお、管理コンピュータ１２と携帯電話機１４との間に、一般電話回線網２５を介さないようにしてもよい。例えば、携帯電話機１４側に無線送受信機とＴＡ（ターミナルアダプタ；Terminal Adapter）とＤＳＵ（デジタルサービスユニット；Digital Service Unit
）等を備えて、管理コンピュータ１２と携帯電話機１４とを、直接無線インターネットにて接続する手法を採用してもよい。
【００２７】
ところで、前記検出装置１６にて取得される体調データＰＣＤは、本実施形態において
は、体温データＴＤと脈拍数データＰＤとによって構成される。詳しくは、図２に示すように、検出装置１６は、各従業員の手首２６等に装着されることにより、各従業員の体温を表す体温データＴＤと、脈拍数を表す脈拍数データＰＤとを、所定時間毎（例えば、１０分毎）に取得する装置となっている。なお、検出装置１６は、体温データＴＤと脈拍数データＰＤとを取得可能であれば、どのような装置を使用してもよい。
【００２８】
次に、管理コンピュータ１２について図３〜図１１に従って詳しく説明する。図３は、本実施形態における管理コンピュータ１２のブロック図を示している。
図３に示すように、管理コンピュータ１２は、ＣＰＵ３１、ＲＯＭ３３、ＲＡＭ３５、ＨＤＤ（Hard Disk Drive ）３７、データ送受信装置３９、ディスプレイ４１、キーボード４３、マウス４５を備え、これらはお互いにバス４７を介して接続されている。なお、ＣＰＵ３１は、受信手段、比較手段、置換手段、第１の抽出手段、第２の抽出手段、送信手段に相当する。また、ＨＤＤ３７は、改編前スケジュール情報記憶手段、閾値記憶手段、改編後スケジュール情報記憶手段、通信機器情報記憶手段に相当する。
【００２９】
ＣＰＵ３１は、ＲＯＭ３３に記憶された各種プログラムに従って動作し、その演算処理結果等を一時ＲＡＭ３５に記憶する。ＲＯＭ３３には管理コンピュータ１２の起動等に必要な最小限のプログラム及びデータが格納されている。ＲＡＭ３５には前記ＲＯＭ３３及びＨＤＤ３７に格納された各種プログラムの常駐領域及び作業領域がそれぞれ確保されている。ＨＤＤ３７にはＣＰＵ３１が実行する各種の制御プログラム、各種のソフトウェア、各種データが格納されている。
【００３０】
ＣＰＵ３１は、データ送受信装置３９、ディスプレイ４１、キーボード４３、マウス４５とアクセス可能となっている。データ送受信装置３９は、前記一般電話回線網２５（図１参照）に対して接続されており、ＣＰＵ３１は、このデータ送受信装置３９を介して、携帯電話機１４から送信される体調データＰＣＤを入力する。また、ＣＰＵ３１は、このデータ送受信装置３９を介して、携帯電話機１４へと送信する変更内容データＣＨＤを出力する。
【００３１】
ディスプレイ４１は、例えばＣＲＴ又は液晶ディスプレイ等の表示装置となっており、ＣＰＵ３１から出力される各種画像データに基づいて、各種画像を表示する。キーボード４３及びマウス４５は、各種の文字、数字、画像データや各種動作の指示信号をＣＰＵ３１に対して入力する。
【００３２】
図４に示すように、前記ＨＤＤ３７は、改編前スケジュールデータ５１、改編後スケジュールデータ５２、連絡先データ５３、閾値データ５４、体調判定用データ５５を記憶する。さらに、ＨＤＤ３７は、変更データ５６、体調判定プログラム５７、連絡プログラム５８、スケジュール改編プログラム５９を記憶する。
【００３３】
改編前スケジュールデータ５１は、本実施形態では、前記携帯電話機１４（図１参照）を携帯している各従業員のスケジュールを表すためのデータとなっている。具体的には、図５に示すように、改編前スケジュールデータ５１は、月日データ、曜日データ、勤務形態データ、従業員名データといったデータによって一組のデータが形成されている。そして、ＨＤＤ３７には、月日データと勤務形態データとを主キーとして、複数の改編前スケジュールデータ５１が記憶されている。なお、本実施形態においては、従業員名データが所有者情報及び置換前所有者情報に相当する。また、月日データ、曜日データ、勤務形態データが、スケジュール情報に相当する。
【００３４】
なお、月日データは、「１１月１日」といった、従業員の就労する日を識別するためのデータとなっている。また、曜日データは、「水」といった、就労日の曜日を識別するた
めのデータとなっている。さらに、勤務形態データは、「Ｅ」あるいは「Ｌ」といったデータとなっており、「Ｅ」は日勤を、「Ｌ」は夜勤を表すためのデータとなっている。さらにまた、従業員名データは、「従業員Ｂ」といったデータとなっており、従業員の名前を識別するためのデータとなっている。
【００３５】
そして、以上のように構成された改編前スケジュールデータ５１は、本実施形態では、ユーザーが、前記キーボード４３及びマウス４５を介して各種情報を入力することにより、ＣＰＵ３１によってＨＤＤ３７に更新記憶されるものとする。なお、ユーザーが、改編前スケジュールデータ５１の更新作業を行っているときには、図６に示すように、ＨＤＤ３７に記憶されている改編前スケジュールデータ５１に基づいた画像Ｇ１を、前記ディスプレイ４１（図３参照）上に表示させるようにしてもよい。これにより、ユーザーに対して、ＨＤＤ３７に記憶されている改編前スケジュールデータ５１をわかりやすく理解させることができる。
【００３６】
図７に示すように、改編後スケジュールデータ５２は、前記改編前スケジュールデータ５１と同様にして、月日データ、曜日データ、勤務形態データ、従業員名データといったデータによって一組のデータが形成されており、従業員のスケジュールを改編した後の状態で表すためのデータとなっている。なお、本実施形態においては、従業員名データが、置換後所有者情報に相当し、月日データ、曜日データ、勤務形態データがスケジュール情報に相当する。
【００３７】
そして、この改編後スケジュールデータ５２は、本実施形態においては、ＣＰＵ３１が、後述するスケジュール改編プログラム５９に従って、前記改編前スケジュールデータ５１を編集することにより作成され、ＨＤＤ３７に更新記憶されるものとする。
【００３８】
図８に示すように、連絡先データ５３は、所有者情報としての従業員名データと、通信機器情報としての電子メールアドレスデータとによって一組のデータが形成されており、各従業員の前記携帯電話機１４の電子メールアドレスを識別するためのデータとなっている。なお、従業員名データは、前記改編前スケジュールデータ５１等に含まれる従業員名データと同様に、従業員名を識別するためのデータとなっている。また、電子メールアドレスデータは、「yamada@ ○△□.jp 」といった電子メールアドレスを表すデータとなっている。そして、この電子メールアドレスは、対応する従業員が所有する携帯電話機１４固有のアドレスとなっており、この電子メールアドレスを使用してＣＰＵ３１から各種データを送信することで、各携帯電話機１４に対して、各種データを送信することができるようになっている。そして、この連絡先データ５３は、本実施形態においては、管理コンピュータ１２の管理者等が、前記キーボード４３及びマウス４５を介して各種情報を入力することにより、ＣＰＵ３１によってＨＤＤ３７に更新記憶されるものとする。
【００３９】
図９に示すように、閾値データ５４は、閾値名データと値データとによって一組のデータが形成されており、後述する体調判定プログラム５７にて使用する閾値を特定するためのデータとなっている。詳しくは、閾値名データは、「ＴＬ」、「ＰＬ」、「ｍＬ」、「ｎＬ」といった各種閾値を特定するためのデータとなっている。また、値データは、「３６．３℃」、「５５回／分」、「６」といったデータとなっており、各閾値の具体的な数値を表すためのデータとなっている。そして、この閾値データ５４は、本実施形態においては、管理コンピュータ１２の管理者等が、前記キーボード４３及びマウス４５を介して各種情報を入力することにより、ＣＰＵ３１によってＨＤＤ３７に更新記憶されるものとする。
【００４０】
図１０に示すように、体調判定用データ５５は、従業員名データ、判定値データによって一組のデータが形成されており、後述する体調判定プログラム５７にて使用する判定値
ｍ及び判定値ｎを特定するためのデータとなっている。なお、従業員名データは、前記改編前スケジュールデータ５１及び連絡先データ５３等に含まれる従業員名データと同様に、従業員名を識別するためのデータとなっている。また、判定値データは、「０」、「３」といった数値によって表されるデータとなっており、各従業員毎の判定値ｍ及び判定値ｎの具体的な数値を特定するためのデータとなっている。そして、この体調判定用データ５５は、本実施形態においては、管理コンピュータ１２のＣＰＵ３１が後述する体調判定プログラム５７に従う処理を行うことによって、ＨＤＤ３７に適宜更新記憶されるデータとなっている。
【００４１】
図１１に示すように、変更データ５６は、従業員名データ、月日データ、変更内容データＣＨＤとによって一組のデータが形成されており、前記改編前スケジュールデータ５１と改編後スケジュールデータ５２との間の変更点を表すデータとなっている。なお、従業員名データは、前記改編前スケジュールデータ５１等に含まれる従業員名データと同様に、従業員名を識別するためのデータとなっている。また、月日データは、前記改編前スケジュールデータ５１等に含まれる月日データと同様に、従業員の就労する日を識別するためのデータとなっている。変更内容データＣＨＤは、「Ｌ→ｏｆｆ」、「ｏｆｆ→Ｌ」といった、勤務形態の変更内容を表すためのデータとなっている。なお、「ｏｆｆ」は休暇を表す。
【００４２】
そして、この変更データ５６は、本実施形態においては、ＣＰＵ３１が、後述する連絡プログラム５８に従った処理を行うことにより作成され、ＨＤＤ３７に適宜更新記憶されるデータである。
【００４３】
図４に示すように、体調判定プログラム５７は、管理コンピュータ１２が受信する各従業員の体調データＰＣＤに基づいて、各従業員の体調が就業に適しているか否かを判定するためのプログラムである。そして、この体調判定プログラム５７は、管理コンピュータ１２のＣＰＵ３１が、データ送受信装置を介して前記体調データＰＣＤを受信する度にＣＰＵ３１によって実行されるプログラムである。
【００４４】
詳しくは、体調判定プログラム５７は、ＣＰＵ３１が、体調データＰＣＤを、データ送受信装置３９を介して入力すると、まず、ＣＰＵ３１が、体調データＰＣＤに含まれる体温データＴＤを、ＨＤＤ３７の閾値データ５４に含まれる閾値ＴＬより小さい値か否か判定するためのプログラムである。また、体調判定プログラム５７は、ＣＰＵ３１が、体温データＴＤを閾値ＴＬより小さいと判断すると、体調判定用データ５５の判定値データの判定値ｍを、１を加算した状態で更新記憶させるためのプログラムである。さらに、体調判定プログラム５７は、ＣＰＵ３１が、体温データＴＤを閾値ＴＬ以上であると判別すると、体調判定用データ５５の判定値ｍを、０にした状態で更新記憶させるためのプログラムである。
【００４５】
そして、体調判定プログラム５７は、ＣＰＵ３１が体調データＰＣＤを受信すると、ＣＰＵ３１が、体調データＰＣＤに含まれる脈拍数データＰＤを、ＨＤＤ３７の閾値データ５４に含まれる閾値ＰＬより小さい値か否か判定するためのプログラムである。また、体調判定プログラム５７は、脈拍数データＰＤが、閾値ＰＬより小さければ、体調判定用データ５５の閾値ｎデータを、１を加算した状態でＣＰＵ３１に更新記憶させるためのプログラムである。さらに、体調判定プログラム５７は、脈拍数データＰＤが、閾値ＰＬ以上であれば、体調判定用データ５５の判定値ｎを、０にした状態でＣＰＵ３１に更新記憶させるためのプログラムである。
【００４６】
加えて、体調判定プログラム５７は、各従業員毎の前記体調判定用データ５５の判定値ｍ及び判定値ｎが、それぞれ、前記閾値データ５４に含まれる閾値ｍＬ及び閾値ｎＬより
も大きいか否かを、ＣＰＵ３１に判定させるためのプログラムである。
【００４７】
従って、ＣＰＵ３１は、体調データＰＣＤを受信すると、体調判定プログラム５７に従って、受信した体調データＰＣＤに含まれる体温データＴＤが、閾値ＴＬより小さいか否かを判定する。また、ＣＰＵ３１は、体調判定プログラムに従って、体温データＴＤが閾値ＴＬより小さいと判定すると、体調判定用データ５５の判定値ｍを１加算した状態で更新記憶させる。反対に、ＣＰＵ３１は、体温データＴＤが閾値ＴＬ以上であると判定すると、判定値ｍを、０にした状態でＣＰＵ３１に更新記憶させる。
【００４８】
また、ＣＰＵ３１は、体調データＰＣＤを受信すると、体調判定プログラム５７に従って、受信した体調データＰＣＤに含まれる脈拍数データＰＤが、閾値ＰＬより小さいか否かを判定する。そして、ＣＰＵ３１は、体調判定プログラムに従って、脈拍数データＰＤが閾値ＰＬより小さいと判定すると、体調判定用データ５５の判定値ｎを１加算した状態で更新記憶させる。反対に、ＣＰＵ３１は、脈拍数データＰＤが閾値ＰＬ以上であると判定すると、判定値ｎを、０にした状態でＣＰＵ３１に更新記憶させる。
【００４９】
加えて、ＣＰＵ３１は、判定値ｍ及び判定値ｎを更新すると、体調判定プログラム５７に従って、判定値ｍ及び判定値ｎのうち、少なくといずれか１つが閾値データ５４の閾値ｍＬ及び閾値ｎＬよりも大きいか否かを判定する。
【００５０】
連絡プログラム５８は、前記体調判定プログラム５７によって判定された各従業員の体調に基づいて、各従業員のスケジュールを改編するとともに、各従業員に対してスケジュールの変更点を連絡するためのプログラムである。なお、この連絡プログラム５８は、ＣＰＵ３１が、前記体調判定プログラム５７に従って、各授業員毎の体調判定用データ５５の判定値ｍ及び判定値ｎのうち、少なくともいずれか１つが、閾値データ５４に含まれる閾値ｍＬ及び閾値ｎＬよりも大きいと判別すると、ＣＰＵ３１によって実行されるプログラムである。
【００５１】
詳しくは、連絡プログラム５８は、まず、ＣＰＵ３１によって、判定値ｍ及び判定値ｎのうち、少なくともいずれか１つが、閾値ｍＬ及び閾値ｎＬより大きいと判別されると、ＣＰＵ３１が、判別された従業員の従業員名を特定するためのプログラムである。さらに、連絡プログラム５８は、ＣＰＵ３１が、特定した従業員名と当日の月日に基づき、改編前スケジュールデータ５１から一致する従業員名データを抽出するためのプログラムである。
【００５２】
さらに、連絡プログラム５８は、ＣＰＵ３１が、改編前スケジュールデータ５１から従業員名データを抽出すると、ＣＰＵ３１が、後述するスケジュール改編プログラム５９に従って、改編前スケジュールデータ５１に基づいて、改編後スケジュールデータ５２を作成するためのプログラムである。
【００５３】
さらにまた、連絡プログラム５８は、ＣＰＵ３１が、改編後スケジュールデータ５２を作成すると、ＣＰＵ３１が、改編前スケジュールデータ５１と作成した改編後スケジュールデータ５２との変更点を検出するためのプログラムである。また、連絡プログラム５８は、検出した変更点に基づいて、ＣＰＵ３１が、変更点のあった従業員名データ、月日データ、変更内容データＣＨＤを抽出し、前記変更データ５６としてＨＤＤ３７に更新記憶させるためのプログラムである。
【００５４】
さらに、連絡プログラム５８は、ＣＰＵ３１が、変更データ５６を更新記憶させると、ＣＰＵ３１が、変更データ５６と、前記連絡先データ５３とに基づいて、変更データ５６に含まれる従業員名データに対応する電子メールアドレスデータを抽出するためのプログ
ラムである。さらにまた、連絡プログラム５８は、ＣＰＵ３１が、抽出した電子メールアドレスを使用して、変更データ５６に含まれる変更内容データＣＨＤを、該当する従業員の携帯電話機１４へと送信するためのプログラムである。
【００５５】
従って、ＣＰＵ３１は、前記体調判定プログラム５７に従って、判定値ｍ及び判定値ｎのうち、少なくともいずれか１つが、閾値ｍＬ及び閾値ｎＬよりも大きいと判別すると、連絡プログラム５８に従って、判別された判定値ｍあるいは判定値ｎに該当する従業員名を特定する。そして、ＣＰＵ３１は、特定した従業員名と、当日の月日に基づいて、改編前スケジュールデータ５１の従業員データから、一致する従業員名データを抽出する。
【００５６】
その後、ＣＰＵ３１は、連絡プログラム５８に従って、スケジュール改編プログラム５９を実行し、改編前スケジュールデータ５１に基づいて、改編後スケジュールデータ５２を作成する。さらに、ＣＰＵ３１は、連絡プログラム５８に従って、改編前スケジュールデータ５１と、改編後スケジュールデータ５２とを比較し、変更点を検出する。そして、ＣＰＵ３１は、検出した変更点に基づいて、変更点のあった従業員名データ、月日データ、変更内容データＣＨＤを抽出し、変更データ５６としてＨＤＤ３７に更新記憶させる。
【００５７】
また、ＣＰＵ３１は、変更データ５６を更新記憶させると、連絡プログラム５８に従って、変更データ５６と、連絡先データ５３とに基づいて、変更データ５６に含まれる従業員名データに対応する電子メールアドレスデータを抽出する。さらに、ＣＰＵ３１は、抽出した電子メールアドレスを使用して、変更データ５６に含まれる変更内容データＣＨＤを、該当する従業員の携帯電話機１４へと送信する。
【００５８】
スケジュール改編プログラム５９は、ＣＰＵ３１が、前記改編前スケジュールデータ５１を読み出し、読み出した改編前スケジュールデータ５１に基づいて改編後スケジュールデータ５２を作成し、ＨＤＤ３７に記憶させるためのプログラムである。なお、このスケジュール改編プログラム５９としては、Circadian Technologies , Inc. の開発によるTr
ainMatch Software 等、公知のプログラムを応用して使用することが可能である。
【００５９】
なお、本実施形態においては、このスケジュール改編プログラム５９は、ＣＰＵ３１が、前記連絡プログラム５８に従って改編前スケジュールデータから従業員名データを抽出すると、抽出した従業員名データを他の従業員名データに置換するためのプログラムであるものとする。また、スケジュール改編プログラム５９は、従業員名データを置換することによって作成したデータを、改編後スケジュールデータ５２としてＨＤＤ３７において記憶させるためのプログラムであるものとする。
【００６０】
さらに、本実施形態においては、スケジュール改編プログラム５９は、従業員名データの置換に使用する新たな従業員名データとして、ＣＰＵ３１が、前記体調判定用データ５５の判定値ｍ及び判定値ｎの値の最も小さい従業員名データを優先的に選択して使用するプログラムであるものとする。
【００６１】
そして、スケジュール改編プログラム５９は、改編前スケジュールデータ５１において抽出された従業員名データを、他の従業員名データに置換することのできるプログラムであれば、その他のプログラムを使用してももちろんよい。
【００６２】
次に、以上のように構成されたスケジュール管理システム１１の作用について説明する。
図１及び図２に示すように、検出装置１６において、所定時間毎に従業員の体温と脈拍数とが検出され、検出されるたびに、体温データＴＤと脈拍数データＰＤとに基づく体調
データＰＣＤが、携帯電話機１４から携帯電話基地局２１へと送信される。そして、送信された体調データＰＣＤが、一般電話回線網２５を介して管理コンピュータ１２へと送信される。
【００６３】
そして、図１２に示すように、受信段階において、管理コンピュータ１２へと送信された体調データＰＣＤは、データ送受信装置３９（図３参照）を介してＣＰＵ３１に入力される（ステップＳ１１）。そして、ＣＰＵ３１は、比較段階に移り、体調データＰＣＤを入力すると、体調判定プログラム５７に従って、まず、体調データＰＣＤに含まれる体温データＴＤが、ＨＤＤ３７の閾値ＴＬより小さいか否かを判定する（ステップＳ１２）。
【００６４】
なお、例えば、閾値ＴＬが閾値データ５４において「３６．３℃」として記憶されているものとする。そして、このような場合に、例えば、体温データＴＤが表す従業員Ａの体温が、「３６．０℃」といった数値を表していると、ＣＰＵ３１は、体温データＴＤが閾値ＴＬよりも低いと判別し（ステップＳ１２でＹＥＳ）、体調判定用データ５５の判定値ｍを、１加算した状態で更新記憶させる（ステップＳ１３）。
【００６５】
また、例えば、体温データＴＤが表す従業員Ａの体温が、「３６．７℃」といった数値を表していると、ＣＰＵ３１は、体温データＴＤが閾値ＴＬ以上の体温を表していると判別し（ステップＳ１２でＮＯ）、体調判定用データ５５の判定値ｍを、０にした状態で更新記憶させる（ステップＳ１４）。
【００６６】
続いて、ＣＰＵ３１は、前記ステップＳ１３あるいはステップＳ１４に従う処理を終了すると、体調データＰＣＤに含まれる脈拍数データＰＤが、ＨＤＤ３７の閾値ＰＬより小さいか否かを判定する（ステップＳ１５）。なお、例えば、閾値ＰＬが、閾値データ５４において「５５回／分」として記憶されているものとする。そして、このような場合に、例えば、脈拍数データＰＤが表す従業員Ａの脈拍数が、「５３回／分」といった数値を表していると、ＣＰＵ３１は、脈拍数データＰＤが、閾値ＰＬよりも少ないと判別する（ステップＳ１５でＹＥＳ）。そして、ＣＰＵ３１は、体調判定用データ５５の判定値ｎを、１加算した状態で更新記憶させる（ステップＳ１６）。
【００６７】
また、例えば、脈拍数データＰＤが表す従業員Ａの脈拍数が、「６０回／分」といった数値を表していると、ＣＰＵ３１は、脈拍数データＰＤが閾値ＰＬ以上であると判別し（ステップＳ１５でＮＯ）、ＣＰＵ３１は、体調判定用データ５５の判定値ｎを、０にした状態で更新記憶させる（ステップＳ１７）。
【００６８】
そして、ＣＰＵ３１は、前記ステップＳ１６あるいはステップＳ１７に従う処理を終了すると、体調判定用データ５５に含まれる判定値ｍが閾値ｍＬよりも大きいか否かを判定する（ステップＳ１８）。なお、例えば、閾値ｍＬが、閾値データ５４において「６」として記憶されているものとする。
【００６９】
そして、このような場合に、例えば、判定値ｍが「３」といった６以下の数値を表していると、ＣＰＵ３１は、判定値ｍが閾値ｍＬ以下であると判別し、（ステップＳ１８でＮＯ）、ステップＳ１９に移る。そして、ＣＰＵ３１は、体調判定用データ５５に含まれる判定値ｎが、閾値ｎＬよりも大きいか否かを判定する（ステップＳ１９）。
【００７０】
また、例えば、閾値ｎＬが、閾値データ５４において「６」として記憶されているものとする。そして、このような場合に、例えば、判定値ｎが「２」といった６以下の数値を表していると、ＣＰＵ３１は、判定値ｎが閾値ｎＬ以下であると判別し（ステップＳ１８でＮＯ）、体調判定プログラム５７の処理を終了し、次の各従業員からの体調データＰＣＤの入力まで待機する。
【００７１】
一方、例えば、判定値ｍ、あるいは、判定値ｎのうち、少なくともいずれか１つが「７」といった、６より大きな値であった場合には、ＣＰＵ３１は、判定値ｍあるいは判定値ｎの少なくともいずれか１つが閾値ｍＬあるいは閾ｎＬ以上であると判別する（ステップＳ１８あるいはステップＳ１９でＹＥＳ）。そして、図１３に示すように、ＣＰＵ３１は、置換段階としてのステップ２１に移る。
【００７２】
ＣＰＵ３１は、ステップ２１に移ると、連絡プログラム５８に従って、体調データＰＣＤの送信元である、携帯電話機１４の所有者である従業員の名前を特定する。そして、ＣＰＵ３１は、従業員を特定すると、従業員名と、当日の月日に基づいて、改編前スケジュールデータ５１から、一致する従業員名データを抽出する。
【００７３】
なお、例えば、ＣＰＵ３１がステップ２１において特定した従業員が「従業員Ａ」であり、改編前スケジュールデータ５１の内容が、図５に示す通りの内容であり、また、当日の月日が「１１月１日」であったとする。すると、ＣＰＵ３１は、改編前スケジュールデータ５１において、「１１月１日」に関連付けられて記憶されている「従業員Ａ」というデータを抽出する（ステップＳ２１）。
【００７４】
続いて、ＣＰＵ３１は、スケジュール改編プログラム５９に従って、改編前スケジュールデータ５１に基づいて、改編後スケジュールデータ５２を作成する。なお、本実施形態においては、改編前スケジュールデータ５１の、「１１月１日」に関連付けて記憶されている「従業員Ａ」というデータが、「従業員Ｅ」というデータに置換することにより、図７に示すような、改編後スケジュールデータ５２が作成されるものとする。
【００７５】
続いて、図１３に示すように、ＣＰＵ３１は、連絡プログラム５８に従って、改編前スケジュールデータ５１と、改編後スケジュールデータ５２とを比較し、変更点を検出する。そして、ＣＰＵ３１は、検出した変更点に基づいて、変更データ５６を作成し、ＨＤＤ３７に更新記憶させる（ステップＳ２２）。
【００７６】
なお、例えば、ＣＰＵ３１は、図５及び図７に示す改編前スケジュールデータ５１と、改編後スケジュールデータ５２とを比較するものとする。すると、図１１に示すように、ＣＰＵ３１は、従業員データが「従業員Ａ」、月日データが「１１月１日」、変更内容データＣＨＤが「Ｌ→ｏｆｆ」という変更データ５６を、まず１つ作成し、ＨＤＤ３７に更新記憶させる。さらに、ＣＰＵ３１は、従業員データが「従業員Ｅ」、月日データが「１１月１日」、変更内容データＣＨＤが「ｏｆｆ→Ｌ」という変更データ５６を、さらに１つ作成し、ＨＤＤ３７に更新記憶させる。
【００７７】
続いて、図１３に示すように、ＣＰＵ３１は、連絡プログラム５８に従って、更新記憶した変更データ５６と、連絡先データ５３とに基づいて、変更データ５６に含まれる従業員名データに対応する電子メールアドレスデータを抽出する。さらに、ＣＰＵ３１は、抽出した電子メールアドレスを使用して、変更データ５６に含まれる変更内容データＣＨＤを、該当する従業員の携帯電話機１４へと送信する。
【００７８】
なお、例えば、連絡先データ５３が、図８に示す通りであり、変更データ５６が、図１１に示す通りであった場合には、まず、ＣＰＵ３１は、図８に示す連絡先データ５３から、従業員Ａと従業員Ｅとに一致する従業員データに対応する電子メールデータを抽出する。そして、ＣＰＵ３１は、抽出した電子メールアドレスを使用して、図１１に示す変更データ５６に含まれる変更内容データＣＨＤを、該当する従業員の携帯電話機１４へと送信する。
【００７９】
すなわち、電子メールアドレス「yamada@ ○△□.jp 」を使用して、「Ｌ→ｏｆｆ」といった変更内容データＣＨＤが、従業員Ａの所有する携帯電話機１４に送信される。さらに、電子メールアドレス「kobayashi@○△□.jp 」を使用して、「ｏｆｆ→Ｌ」といった変更内容データＣＨＤが、従業員Ｅの所有する携帯電話機１４に送信される。
【００８０】
そして、従業員Ａ及び従業員Ｅは、変更内容データＣＨＤを受信すると、受信した変更内容データＣＨＤを、携帯電話機１４にて、音声や画像等にて確認する。そして、従業員Ａは、現在、自らの勤務形態が「Ｌ」、すなわち、夜勤である状態から、「ｏｆｆ」、すなわち、休暇に変更になった旨を確認する。さらに、従業員Ｅは、現在、自らの勤務形態が「ｏｆｆ」、すなわち、休暇である状態から、「Ｌ」、すなわち、夜勤に変更になった旨を確認する。そして、従業員Ａ及び従業員Ｅは、受信した変更内容データＣＨＤの内容に従い、就労を中止したり、就労を開始したりするようになる。
【００８１】
従って、以上のスケジュール管理システム１１によれば、各従業員の体温や脈拍数といった、体調を表す体調データＰＣＤに基づいて、各従業員の勤務形態が変更され、その変更点が、各従業員の所有する携帯電話機１４に対して変更内容データＣＨＤとして送信される。従って、疲労を抱えている従業員を、疲労をあまり抱えていない従業員に、順次交代させることができるようになる。この結果、企業に所属する従業員の長期的な疲労の度合いを少なくさせることができる。そして、就労中の従業員を、疲労をあまり抱えていない状態に維持することができ、生産性の向上が期待できるようになる。
【００８２】
上記実施形態によれば、以下のような効果を得ることができる。
（１）上記実施形態においては、管理コンピュータ１２を、複数の従業員が個別に所有する携帯電話機１４と接続可能な状態となるようにした。また、管理コンピュータ１２のＨＤＤ３７には、改編前スケジュールデータ５１、閾値データ５４を記憶するようにした。そして、管理コンピュータ１２のＣＰＵ３１は、携帯電話機１４から体調データＰＣＤを受信すると、体調判定プログラムに従って、体調データＰＣＤを構成する体温データＴＤと脈拍数データＰＤとを、閾値データ５４の閾値ＴＬ及び閾値ＰＬと比較するようにした。そして、比較結果に基づいて、ＣＰＵ３１は、スケジュール改編プログラム５９に従って、改編前スケジュールデータ５１に基づき、改編後スケジュールデータ５２を作成するようにした。
【００８３】
従って、体温データＴＤと閾値ＴＬ、及び、脈拍数データＰＤと閾値ＰＬの比較によって、従業員が現在疲労状態であるか否かを判別することができる。そして、ＣＰＵ３１によって、疲労状態であると判別されると、改編後スケジュールデータ５２が作成されるようになる。従って、従業員の疲労状態に基づいて、スケジュールが適宜改編されるようになり、疲れている従業員を他の従業員と交代させるようなスケジュールに適宜変更することができるようになる。この結果、各従業員は、長期的な疲労の度合いを少なくさせた状態で就労することができるようなる。また、疲労の少ない従業員のみを就労状態となるようにすることが可能となり、全体的な生産性を向上させることができるようになる。
【００８４】
（２）上記実施形態においては、管理コンピュータ１２のＨＤＤ３７に、従業員名データと電子メールアドレスデータとによって構成される連絡先データ５３を記憶させるようにした。そして、ＣＰＵ３１は、連絡プログラム５８に従って、従業員名データと変更内容データＣＨＤとによって構成される変更データ５６を作成するようにした。またＣＰＵ３１は、作成した変更データ５６と連絡先データ５３とに基づいて、従業員名データに対応する電子メールアドレスデータを使用して、変更内容データＣＨＤを対応する従業員が所有する携帯電話機１４に対して、変更内容データＣＨＤを送信するようにした。
【００８５】
従って、変更内容データＣＨＤが、対応する従業員の所有する携帯電話機１４に送信さ
れるので、従業員は、勤務スケジュールの改編のあった旨を、携帯電話機１４にて理解することができる。従って、スケジュールの改編に該当する従業員に対して、スケジュールの改編のあった旨をリアルタイムに知らせることができ、勤務交代を円滑に行うことができる。
【００８６】
（３）上記実施形態においては、体調データＰＣＤは、従業員の手首等に装着される検出装置１６によって、所定時間毎に自動的に検出され、携帯電話機１４から管理コンピュータ１２へと送信されるようにした。従って、体調データＰＣＤを取得するために、従業員は、手作業で入力する作業等を行う必要がないので、体調データＰＣＤの取得をより容易に行うことができる。
【００８７】
（４）上記実施形態においては、体調データＰＣＤは、体温データＴＤと脈拍数データＰＤとによって構成されるようにした。従って、従業員の疲労の度合いが体調に密接の深いデータによって判別されるようになり、管理コンピュータ１２のＣＰＵ３１は、従業員の疲労の度合いをより正確に判別することが可能とある。この結果、従業員の長期的な疲労の度合いをより確実に少なくさせることができるようになる。
【００８８】
なお、上記実施形態は以下のように変更してもよい。
・上記実施形態においては、疲労情報として、体温データＴＤと脈拍数データＰＤとによって構成される体調データＰＣＤに具体化するようにした。これを、その他、従業員の疲労状態を導き出すことが可能なデータに具体化するようにしてもよい。例えば、脳波、まばたきの回数、運転状況（ブレーキ操作回数、車両速度、走行距離、走行時間等）、環境温度、作業場の明暗度、従業員の呼気アルコール濃度等を表すデータに具体化するようにしてもよい。
【００８９】
そして、このようなデータに具体化する場合には、検出装置１６を、これらのデータを検出可能な装置に変更するようにしてもよい。
・上記実施形態においては、通信機器として、携帯電話機１４に具体化するようにした。これを、その他の通信機器、例えば、カーナビゲーションシステム、ＰＤＡ、パーソナルコンピュータ等に具体化するようにしてもよい。
【００９０】
・上記実施形態においては、従業員は、携帯電話機１４を携帯するようにした。これを、携帯電話機１４を、従業員の運転する車両に備えるようにしてもよい。そして、このような場合に、さらに、携帯電話機１４を、車両に設けられている車速調整手段等に接続するようにし、携帯電話機１４からの信号に基づいて、車速調整手段が駆動され、車両の車速が変更されるようにしてもよい。
【００９１】
このようにすれば、従業員が運転する車両の車速が、管理コンピュータ１２から携帯電話機１４に対して送信された変更内容データＣＨＤによって調整されるようにすることができる。従って、従業員の疲労状態に基づいて送信される変更内容データＣＨＤによって、車速が変更されるようになり、例えば、過労による居眠り運転中に、車両の車速が減速されるようにすることが可能となる。また、従業員は、車速の変化に基づいて、スケジュールの改編のあった旨をわかりやすく理解することができるようになり、勤務交代等をより円滑に行うことができるようになる。
【００９２】
・上記実施形態においては、体調データＰＣＤは、携帯電話機１４に接続されている検出装置１６にて検出されるようにした。これを、検出装置１６を備えないようにしてもよい。そして、このような場合には、携帯電話機１４に対して、従業員が手入力で体調データＰＣＤを入力するようにしてもよい。
【００９３】
・上記実施形態においては、連絡プログラム５８は、ＣＰＵ３１が、変更データ５６を作成すると、作成した変更データ５６と連絡先データ５３とに基づいて、対応する携帯電話機１４に、変更内容データＣＨＤを送信するようなプログラムであるようにした。これを、対応する携帯電話機１４に、変更内容データＣＨＤを送信しないようなプログラムに変更するようにしてもよい。
【００９４】
・上記実施形態においては、連絡先データ５３は、従業員名データと、通信機器情報としての電子メールアドレスデータとによって構成されるようにした。これを、通信機器情報として、電子メールアドレスデータ以外のデータ、例えば、電話番号データ等を使用するようにしてもよい。
【００９５】
・上記実施形態においては、スケジュール管理システム１１は、ディスプレイ４１、キーボード４３、マウス４５等を備えるようにした。これを、スケジュール管理システム１１に、さらに、図示しないプリンタを備えるようにしてもよい。そして、ディスプレイ４１上に表示された前記画像Ｇ１を、プリンタから紙等の記録媒体に印刷させた状態で出力することができるようにしてもよい。また、変更内容データＣＨＤに基づく画像を、プリンタから記録媒体に印刷させた状態で出力することができるようにしてもよい。
【００９６】
・上記実施形態においては、ＨＤＤ３７の改編後スケジュールデータ５２は、ＣＰＵ３１が、スケジュール改編プログラム５９に従って処理を行うことにより、内容を更新されるようにした。これを、更新履歴を所定期間保持するように変更するようにしてもよい。このようにすれば、更新履歴を使用して、従業員の疲労による交代の状況を統計的に分析できるようになる。
【図面の簡単な説明】
【００９７】
【図１】本実施形態におけるスケジュール管理システムの構成を示すシステム構成図。
【図２】同じく、検出装置の概念図。
【図３】同じく、管理コンピュータのブロック図。
【図４】同じく、ＨＤＤの記憶内容を模式的に示す図。
【図５】同じく、改編前スケジュールデータの説明図。
【図６】同じく、ディスプレイ上に表示される画像の概念図。
【図７】同じく、改編後スケジュールデータの説明図。
【図８】同じく、連絡先データの説明図。
【図９】同じく、閾値データの説明図。
【図１０】同じく、体調判定用データの説明図。
【図１１】同じく、変更データの説明図。
【図１２】同じく、スケジュール管理システムの作用を説明するフローチャート図。
【図１３】同じく、スケジュール管理システムの作用を説明するフローチャート図。
【符号の説明】
【００９８】
ＣＨＤ…スケジュール変更情報としての変更内容データ、ＰＣＤ…疲労情報及び体調情報としての体調データ、ｍＬ，ｎＬ，ＰＬ，ＴＬ…閾値、１１…スケジュール管理システム、１２…管理コンピュータ、１４…通信機器としての携帯電話機、１６…検出手段、３１…受信手段、比較手段、置換手段、第１の抽出手段、第２の抽出手段、送信手段としてのＰＣＵ、３７…改編前スケジュール情報記憶手段、閾値記憶手段、改編後スケジュール情報記憶手段、通信機器情報記憶手段としてのＨＤＤ。
【図１】
2005056062.tif 000003
【図２】
2005056062.tif 000004
【図３】
2005056062.tif 000005
【図４】
2005056062.tif 000006
【図５】
2005056062.tif 000007
【図６】
2005056062.tif 000008
【図７】
2005056062.tif 000009
【図８】
2005056062.tif 000010
【図９】
2005056062.tif 000011
【図１０】
2005056062.tif 000012
【図１１】
2005056062.tif 000013
【図１２】
2005056062.tif 000014
【図１３】
2005056062.tif 000015